(57)【要約】      （修正有）【課題】医療廃棄物の収納容器の蓋の着脱を容易にし、かつ開閉をスムーズに行い、また開閉時における不快な衝撃音を和らげ緩衝性に優れている廃棄物収納容器を保持するホルダを提供する。【解決手段】容器を載置する台座１と、該台座１の背面側に立設された支柱部２と、この支柱部２の上部基端部に回動自在に取り付けられ、先端部又は中間部に前記容器の蓋体持手部分を着脱自在に掴持する掴持部８を有する蓋体支持部５と、先端に足ふみペダル９を備え中間部を前記台座１に回動自在に支持された開閉ペダルロッド７と、この開閉ペダルロッド７の後端部と前記蓋体支持部５の基端部にそれぞれ回動自在に連結される開閉ロッド６を備え、前記開閉ロッド６と開閉ペダルロッド７の連結部に緩衝装置１１の一端を連結し、前記支柱部２に該緩衝装置１１の他端を固定する。【選択図】図１
2005110999.tif 000002
【特許請求の範囲】
【請求項１】
廃棄物収納容器（Ａ）の本体を載置する台座（１）と、該台座（１）の背面側に立設された支柱部（２）と、この支柱部（２）の上部基端部に回動自在に取り付けられ、先端部に前記容器（Ａ）の蓋体持手部分（Ｃ）を着脱自在に掴持する掴持部（８）を有する蓋体支持部（５）と、先端に足ふみペダル（９）を備え、中間部を前記台座（１）に回動自在に支持された開閉ペダルロッド（７）と、この開閉ペダルロッド（７）の後端部と前記蓋体支持部（５）の基端部にそれぞれ回動自在に連結される開閉ロッド（６）とを備えた医療廃棄物収納容器用ホルダ。
【請求項２】
前記開閉ロッド（６）と開閉ペダルロッド（７）の連結部に、緩衝装置（１１）の一端を連結し、支柱部（２）に緩衝装置（１１）の他端を固定してなる請求項１に記載の医療廃棄物収納容器用ホルダ。
【請求項３】
前記緩衝装置（１１）は衝撃吸収用の空気式又は油圧式ダンパーからなる請求項１又は２に記載の医療廃棄物収納容器用ホルダ。
【請求項４】
前記掴持部（８）を有する前記蓋体支持部（５）は、該蓋体支持部（５）基端部に設けられ蓋体（Ｂ）の一側部を嵌入するための略コ字状フック（１０）と、該蓋体支持部（５）先端部又は中間部に設けられる蓋体持手部分（Ｃ）の一側部を係止するためのＬ字状フック（８ａ）と、前記蓋体持手部分（Ｃ）の対向側部から掴持するための前記蓋体支持部（５）の一部を支点とし回動自在に保持されたＬ字状係止部材（８ｂ）と、蓋体支持部（５）上部から螺入して前記Ｌ字状係止部材（８ｂ）を押圧することにより該部材を蓋体持手部分（Ｃ）に押圧する摘子（８ｃ）からなる請求項１乃至３のいずれか１つに記載の医療廃棄物収納容器用ホルダ。
【発明の詳細な説明】
【技術分野】
【０００１】
本発明は医療廃棄物収納容器用ホルダ（以下、単にホルダという）に関する。具体的には、病院などの医療機関に設置する廃棄物収納容器（以下、単に容器という）を保持するホルダに関する。
【背景技術】
【０００２】
従来より医療廃棄物収納容器用の取り扱いについては、ＭＲＳＡ、ＡＩＤＳなどの血液感染が問題視されていることから、医療廃棄物収納容器の取り扱い関する感染防止対策については特許文献１に記載されている考案等が開示されている。
【特許文献１】実用新案登録番号第３０４３１１５号
【０００３】
該考案は、前記容器の蓋を着脱自在に把持する蓋把持部を備え、足踏み式の蓋体の開閉機構を採用し、また開閉ロッドと蓋把持部の連結部にコイルバネを挿入することにより蓋体の開閉をスムーズにし、さらに蓋体が閉じられるときの衝撃音を緩和する機能も併せ持つ。
【発明の開示】
【発明が解決しようとする課題】
【０００４】
しかしながら、上記考案については、容器の蓋体は着脱自在ではあるが、蓋体把持部が蓋体側面の全ての辺を包む状態に保持されているため着脱の際には手間がかかる。また、コイルバネの特性上付勢力が上方にかかるため蓋体把持部に蓋体が係止され使用されている場合は、ペダルを踏む勢いよっては蓋体開放時に蓋体の内表面に付着した血液などの液体が飛散するおそれがある。
【０００５】
そこで本発明は、上記の事情に鑑み、蓋体把持部における蓋体の着脱が容易で、蓋体開閉時における衝撃音を緩和でき、蓋体開放時に蓋体の内表面に付着した血液などの液体が飛散することを防止できるホルダを提供することを目的とする。
【課題を解決するための手段】
【０００６】
本発明のホルダは、開閉ロッド（６）と開閉ペダルロッド（７）の連結部に緩衝装置（１１）を連結し、蓋体支持部（５）に掴持部（８）を設けたものである。
【発明を実施するための最良の形態】
【０００７】
以下、添付図面に基づいて本発明の実施例を説明する。
【０００８】
図１は本発明にかかわる医療用廃棄物収納容器ホルダを示す左側面図である。
【０００９】
図１〜７に示すように、本発明のホルダは、容器（Ａ）の本体を載置する台座（１）と、該台座の背面側に立設された支柱部（２）と、この支柱部（２）の上部基端部に回動自在に取り付けられ、先端部に容器（Ａ）の蓋体持手部分（Ｃ）を着脱自在に掴持する掴持部（８）を有する蓋体支持部（５）と、先端に足ふみペダル（９）を備え、中間部を台座（１）に回動自在に支持された開閉ペダルロッド（７）と、この開閉ペダルロッド（７）の後端部と蓋体支持部（５）の基端部にそれぞれ回動自在に連結される開閉ロッド（６）とから構成されている。
【００１０】
前記台座（１）は架台（１５）と、容器（Ａ）を載せる第１の載置部（１２）と、該第１の載置部（１２）に架設する第２の載置部（１３）と、該第２の載置部（１３）の略中心部には開閉ペダルロッド（７）を回動自在に連結する開閉ペダルロッド支持材（１４）とから構成されている。
【００１１】
緩衝装置（１１）は、一端が開閉ロッド（６）と開閉ペダルロッド（７）の連結部に連結され、他端が支柱部（２）に固定されている。また緩衝装置（１１）には衝撃吸収用の空気式又は油圧式のピストンシリンダから成るダンパーを用いることにより蓋体の開閉がスムーズになる。
【００１２】
前記掴持部（８）を有する前記蓋体支持部（５）は、該蓋体支持部（５）基端部に設けられ蓋体（Ｂ）の一側部を嵌入するための略コ字状フック（１０）と、該蓋体支持部（５）先端部又は中間部に設けられる蓋体持手部分（Ｃ）の一側部を係止するためのＬ字状フック（８ａ）と、前記蓋体持手部分（Ｃ）の対向側部から掴持するための前記蓋体支持部（５）の一部を支点とし回動自在に保持されたＬ字状係止部材（８ｂ）と、蓋体支持部（５）上部から螺入して前記Ｌ字状係止部材（８ｂ）を押圧することにより該部材を蓋体持手部分（Ｃ）押圧する摘子（８ｃ）から構成されている。
【００１３】
次に本実施例の使用例を説明する。図１に示すようにペダル（９）を踏み込むと、開閉ペダルロッド（７）に連結されている開閉ロッド（６）が伝動し、該開閉ロッド（６）が上方に浮上し支柱部（２）上部基端部に回動自在に連結される蓋体支持部（５）を押し上げ、蓋体支持部（５）に設けられている掴持部（８）に掴持された蓋体を持ち上げる。
【００１４】
図１、図３−１ａ、図３−１ｂ及び図３−２に示すように、掴持部（８）は、略コ字状フック（１０）と、Ｌ字状フック（８ａ）と、Ｌ字状係止部材（８ｂ）とから主として構成される。
【００１５】
具体的には、略コ字状フック（１０）に、蓋体（Ｂ）の一側部を嵌入し、Ｌ字状フック（８ａ）とＬ字状係止部材（８ｂ）が協働して該蓋体持手部（Ｃ）を掴持する。
【００１６】
Ｌ字状係止部材（８ｂ）は、ねじ部を有する摘子（８ｃ）を、該蓋体支持部（５）のねじ孔部にねじ込み貫通させ、その先端で押圧されることによりＬ字状フック（８ａ）と協働して蓋体持手部（Ｃ）を掴持する。
【００１７】
ここで、図３−１ａと図３−１ｂに示すように、保持具（８ｄ）は適宜のねじ又は蝶番等から成り、８ｅを支点としてＬ字状係止部材（８ｂ）を回動自在に保持する。
【００１８】
次に図４及び図５に示すように、開閉ロッド（６）と開閉ペダルロッド（７）の連結部に蓋体開閉時における衝撃音を緩衝するための緩衝装置（１１）の一端を連結し、支柱部（２）には緩衝装置（１１）の他端を固定する。この緩衝装置（１１）には衝撃吸収用の空気式又は油圧式のピストンシリンダから成るダンパーを用いることにより蓋体の開閉がスムーズになる。
【００１９】
容器（Ａ）が医療廃棄物で満杯になれば、容器（Ａ）の蓋体（Ｂ）を摘子（８ｃ）を緩め掴持部から外し、容器（Ａ）に蓋体（Ｂ）を嵌着させて密閉した後、容器（Ａ）をホルダから取り出す。容器（Ａ）はそのまま収集され、病院などの医療機関から所定の廃棄物処理場まで運搬されるが、容器（Ａ）は密閉されているので、医療廃棄物による感染が防止される。そして、容器（Ａ）は医療廃棄物処理場で焼却、最終処分される。
【産業上の利用可能性】
【００２０】
以上説明したとおり、本発明のホルダによれば、容器（Ａ）の蓋体（Ｂ）を容易に蓋体支持部（５）の掴持部（８）に掴持して使用することができる。また緩衝装置（１１）を設けることにより蓋体開閉がスムーズに行われる。更に該緩衝装置には、衝撃吸収用の空気式又は油圧式のピストンシリンダから成るダンパーを用いるため、付勢力のあるコイルバネに比べ衝撃音の緩和、及び蓋体開放時には蓋体の内表面に付着した血液などの液体の飛散防止に特に優れている。そのため、院内感染の原因となる廃血液や病原微生物などが人体に付着する可能性が一段と少なくなる効果がある。
【図面の簡単な説明】
【００２１】
【図１】本考案にかかる医療廃棄物収納容器用ホルダを示す左側面図である。
【図２】図１におけるホルダの一実施の形態を示す後方斜視図である。
【図３−１ａ】図２における容器を掴んだ状態の掴持部（８）である。
【図３−１ｂ】図２における容器を掴んだ状態の掴持部（８）である。
【図３−２】蓋体（Ｂ）の一側部を嵌入した状態の略コ字状フック（１０）である。
【図４】図１におけるホルダの背面図である。
【図５】緩衝装置（１１）を付設した状態を示す図。
【図６】図１におけるホルダの平面図である。
【図７】図１におけるホルダの正面図である。
【符号の説明】
【００２２】
１    台座
２    支柱部
５    蓋体支持部
６    開閉ロッド
７    開閉ペダルロッド
８    掴持部
８ａ  Ｌ字状フック
８ｂ  Ｌ字状係止部材
８ｃ  摘子
８ｄ  保持具
８ｅ  支点
９    足ふみペダル
１０  コ字状フック
１１  緩衝装置
１２  第１の載置部
１３  第２の載置部
１４  開閉ペダルロッド支持材
Ａ  廃棄物収納容器
Ｂ  廃棄物収納容器の蓋体
Ｃ  廃棄物収納容器蓋体持手部分
【図１】
2005110999.tif 000003
【図２】
2005110999.tif 000004
【図３−１ａ】
2005110999.tif 000005
【図３−１ｂ】
2005110999.tif 000006
【図３−２】
2005110999.tif 000007
【図４】
2005110999.tif 000008
【図５】
2005110999.tif 000009
【図６】
2005110999.tif 000010
【図７】
2005110999.tif 000011